(57)【特許請求の範囲】
【請求項１】
[請求項１]
一定時間の経過で消火信号を発生するマイコン制御タイマー装置と、その電磁作動によりソレノイド駆動片が感知回動レバーをロック解除方向に回動させる電磁ソレノイドと、マイコン制御タイマー装置よりの消火信号の入力でＯＮ作動するスイッチと電磁ソレノイドと電池電源とを直列接続した電磁ソレノイド回路と、芯降下式消火装置における芯上下レバーに対する回動阻止ロック機構と、を含み、
前記回動阻止ロック機構は、
芯降下による芯降下式消火装置を作動するための芯上下レバーを、作動方向へ回動を付勢し、芯上下レバーの作動方向の回動を阻止するロックピンを設け、該ロックピンを感知回動レバーでロック解除とすべく構成して、感知回動レバーの回動と芯降下式消火装置の作動とを連携するとともに、
芯降下による芯降下式消火装置を作動するための芯上下レバーについて、その中間部に、消火基板に向けてピンを突出させ、消火基板に前記ピンと係合する長孔を形成して、前記長孔による回動規制の範囲内で芯上下レバーを回動自在として、
回動阻止ロック機構のセット状態においても、芯上下レバーの単独操作を自在としたことを特徴とする石油燃焼機器のマイコン制御式時限自動消火装置。
【発明の詳細な説明】
【技術分野】
【０００１】  本願発明は、石油燃焼機器（石油ストーブ）の安全装置に関するものである。より詳しくは、芯降下式消火装置を有する石油燃焼機器において、マイコン制御式時限自動消火装置（タイマー作動による自動燃焼運転停止）に関するものである。
【背景技術】
【０００２】  電気ストーブにおいて、マイコン制御式自動運転停止装置により、一定時間の経過で自動消火する機構が公知である。しかし、商用電力（ＡＣ１００Ｖ電源）の接続のない石油燃焼機器においては、マイコン制御式自動運転停止装置を装備したものは存在しない。
また、石油燃焼機器の消火安全装置として、特開平５−３９９１７号（特許文献１）「液体燃料燃焼機器の芯昇降装置」が公知である。
図１１を参照して、芯昇降装置の芯上下軸１０４を、耐震自動消火部の作動により芯降下方向に昇降アーム１０３を介して回動させ、芯１０１を降下させることで自動消火するところの、芯降下式消火装置１００を開示している。図１１には、芯上下レバー１０２に対する回動阻止ロック機構１１０、耐震自動消火部１２０を開示している。【０００３】
【特許文献１】特開平５−３９９１７号
【発明の開示】
【発明が解決しようとする課題】
【０００４】  本願発明は、商用電力（ＡＣ１００Ｖ電源）の接続のない石油燃焼機器において、設定時間の経過で自動的に消火するための、マイコンタイマー制御の消火（燃焼停止）装置を提供することを課題とする。
【課題を解決するための手段】
【０００５】
一定時間の経過で消火信号を発生するマイコン制御タイマー装置と、その電磁作動によりソレノイド駆動片が感知回動レバーをロック解除方向に回動させる電磁ソレノイドと、マイコン制御タイマー装置よりの消火信号の入力でＯＮ作動するスイッチと電磁ソレノイドと電池電源とを直列接続した電磁ソレノイド回路と、芯降下式消火装置における芯上下レバーに対する回動阻止ロック機構と、を含み、
前記回動阻止ロック機構は、
芯降下による芯降下式消火装置を作動するための芯上下レバーを、作動方向へ回動を付勢するとともに、
芯上下レバーの作動方向の回動を阻止するロックピン（消火基盤ピン）7を設け、該ロックピンを感知回動レバーでロック解除とすべく構成して、感知回動レバーの回動と芯降下式消火装置の作動とを連携する。
さらに、芯降下による芯降下式消火装置を作動するための芯上下レバー2について、その中間部に、消火基板5に向けてピン２ｂを突出させ、消火基板5に前記ピン２ｂと係合する長孔5ｂを形成して、前記長孔5ｂによる回動規制の範囲内で芯上下レバー２を回動自在として、回動阻止ロック機構のセット状態においても、芯上下レバー２の単独操作を自在としたことを特徴とする。
【発明の効果】
【０００６】
本願発明は、マイコン制御により、設定時間の経過で自動的に消火信号の発生させて、電磁ソレノイドの作動を介して、芯上下レバーのロック状態を解除し、瞬時に芯を降下させて消火（燃焼停止）するものであるから、商用電力を必要とすることなく、電池を動力源としてマイコン制御式消火装置を作動さほることができる。
また、回動阻止ロック機構のセット状態においても、芯上下レバー２の単独手動操作を自在としたから、芯上下レバー２の手動操作により、自動消火機構の動作確認に先行して、共用部材であるところの芯降下式消火装置の動作確認を行うこととなる効果を有する。
【発明を実施するための最良の形態】
【０００７】  本発明の好適な実施例を示すマイコン制御式時限自動消火装置Ａについて、添付図面を参照して説明する。【０００８】
図1ないし図２を参照して、１は電磁ソレノイド装置、２は芯降下式消火装置の芯上下レバー、３は感知回動レバー、３ａは感知レバー軸、４は基板、５は消火基板、６は給油消火レバー、７は消火基板ピン（芯上下レバーに対するロックピン）である。
【０００９】
基板４より突出する基板軸４ａにレバー軸受け4ｂが装着され、レバー軸受け4ｂを中心として芯上下レバー２は回動自在である。レバー軸受け4ｂには、基板４と芯上下レバー２との間に位置して、消火基板５が軸支されている。
【００１０】  芯上下レバー２のピン２ｂと消火基板５の長孔５ｂの存在により、芯上下レバー２のみの単独操作は可能である。すなわち、芯上下レバー２のセット状態で芯上下レバー２の操作は自由である。【００１１】  消火基板５の下端延長折曲片５ｃと芯上下レバー２の下端２ｃとの係止により、電磁ソレノイド装置１の作動時、消火基板５のイ方向回動に際しては、芯上下レバー２は消火基板５と一体的に回動する。【００１４】  つぎに、回動阻止ロック機構Ｂを説明する。
消火基板５の端部より突出する消火基板ピン（ロックピン）７は、基板４のガイド長孔４ｅおよび消火基板５のガイド孔５ｅに規制されて、消火基板５の回動範囲を限定する。さらに、ガイド孔５ｅの下端に形成されたロック段部５ｆの存在により、震動検知装置１のセット状態で消火基板ピン（ロックピン）７はロック段部５ｆと係止して回動は阻止される。よって、消火基板５は、ばね体８により作動方向への回動が付勢されているが、上記のロック構造により待機状態を維持すべく規制される。【００１５】  図２において、９はスイッチ取付金具でマイクロスイッチＳ１、Ｓ２がとりつけられていて、芯上下レバー２の作動状態、即ち電磁ソレノイド装置１の作動を確認する。【００１６】  電磁ソレノイド装置１は、図４及び図５を参照して、基板４に固定したソレノイドケース１１に電磁ソレノイド１０を装備して構成する。【００１７】  図１ないし図３に示すところの、感知回動レバー３に、感知突起３０を形成する。【００１８】  電磁ソレノイド１０のソレノイド駆動軸１２の先端に駆動片１３を固定する。駆動片１３の作用片１４を、感知突起３０と上下方向に対向させる。【００１９】  図６は、電磁ソレノイド１０の待機位置での、作用片１４と感知突起３０との上下位置関係を示している。即ち、両者は互いに離れている。【００２０】  図７は、電磁ソレノイド１０の電磁作動位置での、作用片１４と感知突起３０との上下位置関係を示している。即ち、両者は互いに接触し、作用片１４は上昇して、感知回動レバー３を回動させる。その結果、回動阻止ロック機構Ｂのロック状態すなわち芯上下レバーのロック状態が解除される。【００２１】  図８は、芯昇降装置１００の芯上下軸１０４と芯上下レバー２の作用軸２０との伝動系を示し、芯上下レバー２の作用軸２０とを昇降アーム１０３を介した伝動系を示し、芯上下レバー２の作用軸２０の上昇により芯上下軸１０４を芯降下方向に回動させる。【００２２】
図９は、ａ図は芯上下レバー２のセット状態（ロック状態）、ｂ図はロック解除による芯上下レバー２の移動後の位置を示し、本願発明による芯上下レバー２の芯上下軸104の回動、芯の降下の作用を示している。
【００２３】
図９は、ａ図は芯上下レバー２のセット状態（ロック状態）、ｂ図はロックン解除による芯上下レバー２の移動後の位置を示し、本願発明による芯上下レバー２の芯上下軸１０４の回動、芯の降下の作用を示している。
【００２４】
マイコン４３は、そのタイマー機能により運転開始を設定時間の経過により消火信号Ｋを発生する。例えば、運転スイッチＳのＯＮより、マイコン４３はタイマーカウントを開始し、２時間５０分の経過で警報手段４4へ警報信号Ｋ０を出力し、３時間の経過でスイッチ４２へ消火信号Ｋ０を出力すべく、マイコン制御プログラムが設定され、電磁ソレノイド１０の作動をマイコン制御することで、マイコン制御式タイマー装置を構成する。
【００２５】
以上の構成にもとづき、本願発明のマイコン制御式時限自動消火装置の動作は下記の通りである。 
ａ． 一定時間の経過で消火信号を発生するマイコン４３のマイコンタイマー制御により、電磁ソレノイド回路４０は電磁ソレノイ            ド１０を電源４１に接続して、電磁ソレノイド１０は作動状態となりソレノイド駆動片１２を引込む。 
ｂ． ソレノイド駆動片１２の上昇で、ソレノイド作用片１４は突片３０と接当し、突片３０を上昇させる。 
ｃ． 突片３０の上昇で感知回動レバー３を回動させる。 
ｄ． 感知回動レバー３の回動で、芯上下レバーのロック状態を解除する。 
ｅ． 芯上下レバーのロック状態の解除で、芯上下レバーの作用軸２０は瞬間的に上昇する。 
ｆ． 芯上下レバーの作用軸２０の瞬間的な上昇で、芯昇降装置１００の芯上下軸１０４は、瞬時に芯を降下させて消火（燃焼停止）する。
【産業上の利用可能性】
【００２６】  本願発明は、石油燃焼機器の安全対策を確実にすることで石油燃焼機器の利用を促進して、石油燃焼機器製造関連産業の産業発展に寄与するものである。
【図面の簡単な説明】
【００２７】
【図１】本願発明の実施例を示す、石油燃焼機器のマイコン制御式時限自動消火装置の部分断面した正面視の斜視図。
【図２】同じく背面図。
【図３】同じく縦断面図。
【図４】電磁ソレノイド装置の斜視図。
【図５】同じく電磁ソレノイド装置を示し、ａ図は一部断面した平面図、ｂ図は一部断面した側面図、ｃは一部断面した正面図。
【図６】マイコン制御式時限自動消火装置の待機状態を示し、ａ図は電磁ソレノイド装置の非作動状態、ｂ図は回動阻止ロック機構のロック状態を示す。
【図７】マイコン制御式時限自動消火装置の消火状態を示し、ａ図は電磁ソレノイド装置の作動状態、ｂ図は回動阻止ロック機構のロック解除状態を示す。
【図８】芯上下レバーと芯昇降装置の芯上下軸との伝動系を示す略図。
【図９】ａ図は回動阻止ロック機構のロック状態、すなわち待機状態における同様の略図。ｂ図は回動阻止ロック機構のロック解除状態、すなわち電磁ソレノイドの作動時における同様の略図。
【図１０】電磁ソレノイド回路の回路図。
【図１１】公知の石油燃焼機器の耐震安全装置の斜視図。
【符号の説明】
【００２８】  Ａ    マイコン制御式時限自動消火装置
Ｂ    回動阻止ロック機構
１    電磁ソレノイド装置
２    芯上下レバー、
３    感知レバー、
４    基板、
５    消火基板、
６    給油消火レバー
７    消火基板ピン（ロックピン）
８    ばね体
１０    ばね体８により
１１    電磁ソレノイド
１２    ソレノイド駆動軸
１３    駆動片
１４    作用片
３０    感知突起
４０    電磁ソレノイド回路
４１    電池電源（例えば、単２乾電池４個）
４３    マイコン
【図１】
0005516837.tif 000002
【図２】
0005516837.tif 000003
【図３】
0005516837.tif 000004
【図４】
0005516837.tif 000005
【図５】
0005516837.tif 000006
【図６】
0005516837.tif 000007
【図７】
0005516837.tif 000008
【図８】
0005516837.tif 000009
【図９】
0005516837.tif 000010
【図１０】
0005516837.tif 000011
【図１１】
0005516837.tif 000012